(57)【要約】【課題】肌触りが良く、拡散性に優れ、吸収性に優れ、長辺方向の端での漏れを抑制することができる軽失禁用吸収性物品を提供することを目的とする。【解決手段】液透過性のトップシートと、液不透過性のバックシートと、トップシート及びバックシートの間に配置された吸収体１３と、を有する軽失禁用吸収性物品であって、吸収体１３が、２枚ないし３枚の液透過性シートと２枚ないし３枚の液透過性シート間に集積された高吸収性ポリマーとから構成される１組または複数組の高吸収性シートからなり、吸収体１３のトップシートと接する面側に、吸収体１３の短辺方向Ｘの端部２１に吸収体１３の長辺方向Ｙに沿って蛇行する圧縮溝１７を有する軽失禁用吸収性物品とする。【選択図】図３
2019000592.tif 000002
【特許請求の範囲】
【請求項１】
液透過性のトップシートと、液不透過性のバックシートと、前記トップシート及び前記バックシートの間に配置された吸収体と、を有する軽失禁用吸収性物品であって、
前記吸収体が、２枚ないし３枚の液透過性シートと該２枚ないし３枚の液透過性シート間に集積された高吸収性ポリマーとから構成される１組または複数組の高吸収性シートからなり、前記吸収体の前記トップシートと接する面側に、前記吸収体の短辺方向の端部に前記吸収体の長辺方向に沿って蛇行する圧縮溝を有する軽失禁用吸収性物品。
【請求項２】
前記端部が、前記吸収体の短辺方向の両端からそれぞれ、前記短辺方向の最大幅の４５％以内の領域である請求項１記載の軽失禁用吸収性物品。
【請求項３】
前記圧縮溝が、複数条形成されている請求項１又は２記載の軽失禁用吸収性物品。
【請求項４】
前記圧縮溝が、蛇行線の走向方向に間欠的に形成されている請求項１から３いずれか１項記載の軽失禁用吸収性物品。
【請求項５】
前記圧縮溝に、前記吸収体の厚さ方向に貫通する孔が形成されている請求項１から４いずれか１項記載の軽失禁用吸収性物品。
【請求項６】
前記間欠的に形成された前記圧縮溝の間の前記吸収体に、該吸収体の厚さ方向に貫通する孔が形成されている請求項４記載の軽失禁用吸収性物品。
【請求項７】
前記吸収体が、該吸収体の前記圧縮溝及び該圧縮溝の周辺に、前記高吸収性ポリマーを有しない領域を有する請求項１から６いずれか１項記載の軽失禁用吸収性物品。
【請求項８】
前記圧縮溝が、正弦曲線状に形成されている請求項１から７いずれか１項記載の軽失禁用吸収性物品。
【請求項９】
正弦曲線の波長が３ｍｍ以上５０ｍｍ以下であり、振幅が３ｍｍ以上５０ｍｍ以下である請求項８記載の軽失禁用吸収性物品。
【発明の詳細な説明】
【技術分野】
【０００１】
本発明は、軽失禁用吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。近年、吸収性を向上させるための構造を備えたもの、吸収性物品の厚さを薄くしてフィット性を向上させたもの、エンボスを設けて美粧性を持たせたもの等、様々な工夫がなされた吸収性物品が上市されている。
【０００３】
例えば、特許文献１には、使い捨ての開放型おむつが開示されている。このおむつに用いられる吸収体には、縦方向へ蛇行して延びて互いに並行する複数の溝部が全面に形成されている。これにより、尿が横方向に拡散し、広い範囲での尿の保持が可能であることが記載されている。
【０００４】
また、特許文献２には、吸収性物品の液透過性表面シートの面側に、直線及び曲線からなるエンボスが設けられ、更にエンボス方向が急変した部分を設けた吸収性物品が開示されている。これにより、エンボス付加時のシワや浮きの発生を低減するとともに、折れ曲がり部の視認性が高くなり尿の吸収量を認識しやすくなることが記載されている。
【０００５】
また更に、特許文献３には、透液性シートと不透液性シートとの間に挟まれた吸収体を備えた着用物品であって、長手方向に緩やかな曲線状に、透液性シート側から吸収体に向かって窪んだ圧縮溝が形成され、吸収体における圧縮溝の底部に貫通孔が設けられたものが開示されている。孔を形成したことにより、圧縮溝の底部が孔で曲がりやすくなり、着用物品の柔軟性が高くなることが記載されている。
【先行技術文献】
【特許文献】
【０００６】
【特許文献１】特開２０１６−１３１７８号公報
【特許文献２】特開２０１６−２０９６号公報
【特許文献３】特開２００２−１１９５３９号公報
【発明の概要】
【発明が解決しようとする課題】
【０００７】
吸収性物品には、想定される使用状況における尿の排出量に応じて、様々な吸収量のものが存在する。比較的少量の排出量の尿を吸収するものとしては、軽失禁ライナーや軽失禁パッド等が知られている。軽失禁用パッド等は、下着に貼付して用いられるものであるので、薄くて、肌触りが良く、吸収性が良い構造が求められる。
しかしながら、特許文献１に記載の吸収性物品では、圧縮溝が吸収体の全面に形成されており、このような構造をおむつではなく下着に貼付して用いる場合には、素材が固くなり、肌触りも良くない。更には、体へのフィット感も低下し、吸収漏れを生じる可能性がある。また、特許文献２及び３に記載のような緩い曲線形状の溝部を設けた場合、多量の尿が排泄された場合に、尿が溝部に沿って速いスピードで流れてしまい、長手方向の端で漏れを生じることが懸念される。
【０００８】
本発明は上記事情に鑑みてなされたものであり、肌触りが良く、拡散性に優れ、吸収性に優れ、長辺方向の端での漏れを抑制することができる軽失禁用吸収性物品を提供することを目的とするものである。
【課題を解決するための手段】
【０００９】
本発明者は、軽失禁用吸収性物品の構造について鋭意検討した結果、ある特定の溝部の構成を有することによって上記課題を解決することができることを見出し、本発明を完成するに至った。
すなわち、本発明の軽失禁用吸収性物品は、
液透過性のトップシートと、液不透過性のバックシートと、トップシート及びバックシートの間に配置された吸収体と、を有する軽失禁用吸収性物品であって、
吸収体が、２枚ないし３枚の液透過性シートと２枚ないし３枚の液透過性シート間に集積された高吸収性ポリマーとから構成される１組または複数組の高吸収性シートからなり、吸収体のトップシートと接する面側に、吸収体の短辺方向の端部に吸収体の長辺方向に沿って蛇行する圧縮溝を有するものである。
【００１０】
本発明の軽失禁用吸収性物品において、端部は、吸収体の短辺方向の両端からそれぞれ、短辺方向の最大幅の４５％以内の領域であることが好ましい。
【００１１】
本発明の軽失禁用吸収性物品において、圧縮溝は、複数条形成されていてもよい。
【００１２】
本発明の軽失禁用吸収性物品において、圧縮溝は、蛇行線の走向方向に間欠的に形成されていてもよい。
【００１３】
本発明の軽失禁用吸収性物品において、圧縮溝に、吸収体の厚さ方向に貫通する孔が形成されていてもよい。
【００１４】
圧縮溝が、蛇行線の走向方向に間欠的に形成されている場合、圧縮溝の間の吸収体に、吸収体の厚さ方向に貫通する孔が形成されていてもよい。
【００１５】
本発明の軽失禁用吸収性物品において、吸収体は、吸収体の圧縮溝及び圧縮溝の周辺に、高吸収性ポリマーを有しない領域を有していてもよい。
【００１６】
本発明の軽失禁用吸収性物品において、圧縮溝は、正弦曲線状に形成されていることが好ましい。
【００１７】
正弦曲線の波長は３ｍｍ以上５０ｍｍ以下であり、振幅は３ｍｍ以上５０ｍｍ以下であることが好ましい。
【発明の効果】
【００１８】
本発明の軽失禁用吸収性物品は、液透過性のトップシートと、液不透過性のバックシートと、トップシート及びバックシートの間に配置された吸収体と、を有する軽失禁用吸収性物品であって、吸収体が、２枚ないし３枚の液透過性シートと２枚ないし３枚の液透過性シート間に集積された高吸収性ポリマーとから構成される１組または複数組の高吸収性シートからなり、吸収体のトップシートと接する面側に、吸収体の短辺方向の端部に吸収体の長辺方向に沿って蛇行する圧縮溝を有するものである。かかる構成を有することにより、肌触りがよく、拡散性に優れ、吸収性に優れ、長辺方向の端での漏れを抑制することができる。
【図面の簡単な説明】
【００１９】
【図１】図１は、本発明の軽失禁用吸収性物品を示す概略平面図である。
【図２】図２は、図１におけるＡ−Ａ断面図である。
【図３】図３は、吸収体を示す概略平面図である。
【図４】図４は、図３におけるＢ−Ｂ断面図である。
【図５】図５は、圧縮溝が複数条形成された吸収体の一部を示す平面図ある。
【図６】図６は、正弦曲線状の圧縮溝について説明する図である。
【図７】図７は、孔が形成された圧縮溝の一例を示す平面図である。
【図８】図８は、間欠的に複数条形成された圧縮溝の一例を示す平面図である。
【図９】図９は、間欠的に複数条形成された圧縮溝の別の例を示す平面図である。
【図１０】図１０は、間欠的に形成された圧縮溝の間の吸収体に孔が形成された一例を示す平面図である。
【図１１】図１１は、高吸収性ポリマーを有しない領域を備える吸収体の平面図である。
【図１２】図１２は、図１１におけるＣ−Ｃ断面図である。
【図１３】図１３は、圧縮溝の圧縮パターンの一例を示す平面図である。
【図１４】図１４は、図１３におけるＤ−Ｄ断面図である。
【発明を実施するための形態】
【００２０】
［軽失禁用吸収性物品］
本発明の軽失禁用吸収性物品の一実施形態について図を参照しながら説明する。
本発明の軽失禁用吸収性物品１０は、図１に示すように、液透過性のトップシート１１と、液不透過性のバックシート１２と、トップシート１１及びバックシート１２の間に配置された吸収体１３と、を有するものである。
吸収体１３は、図２に示すように、上部液透過性シート１４ａ、下部液透過性シート１４ｂと、２枚の液透過性シート（１４ａ，１４ｂ）間に集積された高吸収性ポリマー１５とを含む高吸収性シートからなる。そして、吸収体１３は、図１に示すように、吸収体１３のトップシート１１と接する面側に、吸収体１３の短辺方向Ｘの端部２１に吸収体１３の長辺方向Ｙに沿って蛇行する圧縮溝１７を有するものである。
【００２１】
ここで、軽失禁用吸収性物品１０の長辺方向Ｙが、軽失禁用吸収性物品１０が着用されたときに着用者の前後に亘る方向である。また、短辺方向Ｘとは、長辺方向Ｙと直行する方向である。
【００２２】
（トップシート）
トップシート１１は、図２に示すように、吸収体１３に向けて尿を速やかに通過させるものであり、吸収体１３を挟んで、バックシート１２に対向して配置される。トップシート１１は、肌と当接するシートであることから、トップシート１１には、柔らかな感触で、肌に刺激を与えないような性質を有するものが好ましい。例えば、ポリプロピレンやポリエチレン等の合成繊維、レーヨン等の再生繊維、綿等の天然繊維を用いて、エアスルー法、サーマルボンド法、スパンレース法、スパンボンド法等の公知の加工法によって得られた親水性不織布、開口ポリエチレンフィルム等の開口性フィルム、ウレタンフォーム等の発泡フィルム等を用いることができる。なかでも、着用時の肌触り及び通気性の観点から、親水性エアスルー不織布を用いることが好ましい。なお、本発明に用いるトップシート１１は、着用時の肌触りを良好にするために、１プライないし２プライで構成される。また、トップシート１１には、ドライタッチ性を付与するために多数の透孔が形成されていてもよい。
【００２３】
トップシート１１の坪量は、加工性及び強度の点から、１８ｇ／ｍ２以上４０ｇ／ｍ２以下であることが好ましい。また、トップシート１１は、肌への刺激を低減させるために、ローション、酸化抑制剤、抗炎症成分、ｐＨ調整剤、抗菌剤及び保湿剤の群から選択されるいずれか一種を含有することが好ましい。
【００２４】
また、トップシート１１は、製造工程において、トラバース巻きしたロールから供給されてもよい。トップシート１１がトラバース巻きしたロールから供給されることにより、ロールを交換する頻度を少なくすることで、資材供給の手間を削減することができる。更に、巻取りによるトップシート１１の嵩高の低下を抑制することができる。
【００２５】
なお、本発明においては、吸収体１３の上面への尿の拡散を促進するため、トップシート１１と吸収体１３との間に、液拡散性シートを設けてもよい。液拡散性シートとしては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シートの厚みは０．１ｍｍ以上であることが好ましく、その坪量は１５ｇ／ｍ２以上であることが好ましい。液拡散性シートの形状は、特に制限はないが、尿がくまなく吸収体１３に拡散するよう、吸収体１３の表面を完全に覆うことができる形状であることが好ましい。
【００２６】
（バックシート）
バックシート１２は、軽失禁用吸収性物品１０の外部に尿が漏れないよう、液不透過性を有し、遮水性を有するシート材が用いられるが、ムレ抑制のために透湿性を有していてもよい。このような特性を有するバックシート１２の材料としては、例えば、ポリエチレンシートやポリエチレンラミネート不織布等の厚みの薄いプラスチックシートを挙げることができる。バックシート１２は、着用者の股間が位置づけられる長手方向中央に括れ部を有する砂時計形状、略矩形形状等の形状を有していてもよく、吸収体１３の側縁より若干外方に延在して設けられていてもよい。バックシート１２の衣類側表面には、着用時に下着等に軽失禁用吸収性物品１０を固着するための粘着剤層が設けられていてもよい。軽失禁用吸収性物品１０が粘着剤層を有する場合、粘着剤層を保護するための剥離シートを有していてもよく、この剥離シートは、軽失禁用吸収性物品１０の包装シートと部分的に接合されていてもよい。トップシート１１及びバックシート１２は、長手方向の端部等、端部の少なくとも一部において、吸収体１３を挟まずに、ホットメルト接着剤やヒートシール等により固着されるフラップを形成していてもよい。
【００２７】
（吸収体）
吸収体１３は、２枚の液透過性シート（上部液透過性シート１４ａ，下部液透過性シート１４ｂ）と、この２枚の液透過性シート間に集積された高吸収性ポリマー（Ｓｕｐｅｒ  Ａｂｓｏｒｂｅｎｔ  Ｐｏｌｙｍｅｒ；以下、ＳＡＰともいう）１５とを含む高吸収性シート１６からなる。
液透過性シートとしては不織布が挙げられる。不織布の材料としては、トップシート１１の不織布と同類の不織布を用いることができるが、具体的には、エアレイド不織布、エアスルー不織布、スパンボンド不織布、メルトブロー不織布、サーマルボンド不織布等、従来公知の製法で製造された任意の親水性不織布又は疎水性不織布を挙げることができる。
【００２８】
不織布シートに用いられる不織布の坪量は、１０ｇ／ｍ２以上１００ｇ／ｍ２以下であることが好ましく、１５ｇ／ｍ２以上４５ｇ／ｍ２以下であることがより好ましい。不織布の坪量を上記の範囲内のものとすることにより、吸収体１３の厚みを十分に薄くすることができる。
【００２９】
吸収体１３に用いるＳＡＰとしては、尿を吸収し、かつ、逆流を抑制できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。
【００３０】
吸収体１３のＳＡＰ量は、吸収性能及び肌触りを損なわないよう、３０ｇ／ｍ２以上５００ｇ／ｍ２以下の坪量とすることが好ましく、吸収体１３全体の重量に対して、１０質量％以上９０質量％以下の含有量とすることが好ましい。
【００３１】
吸収体１３は、接着剤が塗布された不織布に高吸収性ポリマー１５を分布させて形成される。接着剤としては特に制限はないがホットメルト接着剤が好ましい。また、接着剤の塗布方法としては特に制限はないが、スロットコートやスプレーコートで塗布することが好ましい。
【００３２】
更に吸収体１３の下方、すなわち、吸収体１３とバックシート１２との間には、フラッフパルプおよび高吸収性ポリマーからなる別の吸収体を設けてもよい。当該吸収体の坪量は、５０ｇ／ｍ２以上７００ｇ／ｍ２以下であることが好ましい。フラッフパルプは針葉樹パルプＮＢＫＰ単独、広葉樹パルプＬＢＫＰ単独で構成されていてもよいが、混合パルプでもよい。
【００３３】
（圧縮溝）
吸収体１３は、図３に示すように、トップシート１１と接する面側に、吸収体１３の短辺方向の端部２１に吸収体１３の長辺方向Ｙに沿って蛇行する圧縮溝１７を有する。本実施形態では、蛇行の一例として、正弦曲線の場合について示している。
長辺方向Ｙに蛇行する圧縮溝１７を設けることによって、排泄された尿が圧縮溝１７に捕捉されて蛇行し長辺方向Ｙに移動する。更に、蛇行していることによって、長辺方向Ｙの尿の拡散速度を低減することができ、かつ、短辺方向Ｘへも拡散させることができる。したがって、多量の尿が排泄された場合であっても、軽失禁用吸収性物品１０の長辺方向Ｙの端での尿の漏れを抑制することができる。
【００３４】
ここで、端部とは、図３に示すように、吸収体１３の短辺方向Ｘの両端１９，２０からそれぞれ幅Ｗ１の部分を示す。幅Ｗ１は、吸収体１３の短辺方向Ｘの両端１９，２０からそれぞれ、短辺方向Ｘの最大幅Ｗの４５％以内の領域であることが好ましい。４５％以内であることにより、短辺方向Ｘの中心領域１８では、排泄された尿を効果的に吸収することができ、また、圧縮溝１７を設けないので柔らかい肌触りが得られる。幅Ｗ１は、より好ましくは、吸収体１３の短辺方向Ｘの両端１９，２０からそれぞれ、短辺方向Ｘの最大幅Ｗの４０％以内の領域である。
【００３５】
また、図３に示すように、圧縮溝１７の長さＬ１は、長辺方向Ｙに流れる尿の拡散速度を低減しながら、長辺方向Ｙの漏れを抑制する観点から、長辺方向Ｙの最大長さＬの１０％以上９５％以下であることが好ましい。
【００３６】
また、図４に示すように、圧縮溝１７の幅Ｗ３は、排泄された尿を圧縮溝１７に誘導させるという観点から１ｍｍ以上１０ｍｍ以下であることが好ましく、２ｍｍ以上８ｍｍ以下がより好ましい。ここで、幅Ｗ３は、圧縮溝１７の断面の形状にかかわらず、図４に示すように、圧縮溝１７の底辺の幅を示す。
【００３７】
本発明において、圧縮溝１７とは、上部液透過性シート１４ａ、下部液透過性シート１４ｂ、及び高吸収性ポリマー１５が一体的に、又は上部液透過性シート１４ａと下部液透過性シート１４ｂとが、溶融して接着されたものを示す。圧縮溝１７は、例えば、高吸収性シート１６を形成した後、所望の蛇行線状に形成された凸条部材によって、上部液透過性シート１４ａ側から、押圧しながら熱接着することによって、上部液透過性シート１４ａ、下部液透過性シート１４ｂ及び高吸収性ポリマー１５、又は、上部液透過性シート１４ａ及び下部液透過性シート１４ｂを一度に接着することによって形成することができる。接着方法は、熱接着に限らず、超音波接着等でもよく、一般的な接着方法を用いることができる。
【００３８】
一方、上部液透過性シート１４ａと下部液透過性シート１４ｂとが、高吸水性ポリマー１５を介さずに溶融して接着された場合は、蛇行する圧縮溝１７を尿が流れながら、短辺方向にも素早く拡散することができる。これにより、軽失禁用吸収性物品１０の長辺方向Ｙの端での尿漏れを抑制することができる。
【００３９】
上部液透過性シート１４ａ、下部液透過性シート１４ｂ、及び高吸収性ポリマー１５が一体的に接着された場合は、圧縮溝１７を尿が通過したとき、接着部分の高吸収性ポリマーが尿を吸収して膨潤して接着されていた部分が浮き上がることによって、更に尿を吸収することができ、長辺方向Ｙへの尿の拡散速度を低減することができる。これにより、軽失禁用吸収性物品１０の長辺方向Ｙの端での尿漏れを抑制することができる。
【００４０】
本実施形態では、圧縮溝１７を、一方の端部に１条設けた場合について説明したが、図５に示すように、正弦曲線状の圧縮溝１７が長辺方向Ｙに複数条形成されていてもよい。これにより、多量の尿が排泄された場合には、尿を速やかに複数の圧縮溝１７で分散させることが可能である。
複数条設ける場合、圧縮溝１７と隣り合う圧縮溝１７との距離Ｌ２（図５参照）は、
５ｍｍ以上４０ｍｍ以下であることが好ましい。
複数条設ける場合、位相をずらして配置してもよい。なお、位相をずらす場合、圧縮溝１７と隣り合う圧縮溝１７との距離Ｌ２は、最も距離が小さくなる位置を測定するものとする。
【００４１】
本実施形態では、蛇行が規則的な場合（正弦曲線状）の圧縮溝の形状については、以下のような正弦波のパラメータを用いて説明することができる。図６に示すように、蛇行の周期については、波長λで表し、振れ幅の大きさについては正弦波の振幅αで表す。尿を短辺方向Ｘ及び長辺方向Ｙに拡散させながら、長辺方向Ｙへの拡散速度を低減する観点から、波長λは３ｍｍ以上５０ｍｍ以下であり、かつ、振幅は３ｍｍ以上５０ｍｍ以下であることが好ましい。また蛇行幅Ｗ２は３ｍｍ以上１００ｍｍ以下であることが好ましい。
【００４２】
また、図７に示すように、圧縮溝１７に、吸収体１３の厚さ方向に貫通する孔２２が形成されていてもよい。孔２２が形成されていることによって、圧縮溝１７を流れる尿を、孔２２を介して重力方向の下方へ通過、吸収させることができるので、多量の尿が排泄された場合には、圧縮溝１７を流れる尿の勢いを弱め、長辺方向Ｙの端での漏れを抑制することができる。
孔２２の直径は、圧縮溝１７を流れる尿の勢いを弱める観点から、１ｍｍ以上１０ｍｍ以下であることが好ましい。
また、孔２２の周縁は、熱でシールすることにより、高吸収性ポリマーが抜け落ちないようにすることが好ましい。
【００４３】
また、図８に示すように、圧縮溝１７が、蛇行線２４の走向方向に間欠的に、複数条、かつ、正弦波の位相をずらして形成されていてもよい。また、図９に示すように、複数条の圧縮溝１７が、１本の圧縮溝１７から複数条の圧縮溝１７へ間欠的に分岐（図中矢印）するように配置されていてもよい。このような配置とすることにより、多量の尿が排泄された場合には、尿を速やかに複数の圧縮溝１７へ分散させることが可能である。
【００４４】
また更に、図１０に示すように、間欠的に形成された圧縮溝１７の間の吸収体１３に、吸収体１３の厚さ方向に貫通する孔２３が形成されていてもよい。このように、間欠的に形成された圧縮溝１７の間に、孔２３を設けることによって、圧縮溝１７を流れる尿が、孔２３を介して効率よく重力方向の下方へ通過、吸収されるので、圧縮溝１７を流れる尿の勢いを弱めることができ、長辺方向Ｙへの拡散速度を低減することができる。更には、孔２３周辺の高吸収性ポリマー１５が膨潤、隆起することによって、圧縮溝１７を更に尿が流れてきた場合には、流れをせき止める堰のような役割をして、長辺方向Ｙへの拡散速度を低減することができる。
【００４５】
上記実施形態では、圧縮溝１７は、正弦曲線状のものを例に説明したが、不規則に蛇行するものであってもよい。
【００４６】
吸収体１３は、図１１に示すように、吸収体１３の圧縮溝１７及び圧縮溝１７周辺に、高吸収性ポリマーを有しない領域２５を有してもよい。図１２に示すように、高吸収性ポリマーを有しない領域２５の短辺方向の幅Ｗ４は、短辺方向Ｘ及び長辺方向Ｙに尿を拡散させる観点及び長辺方向Ｙの端で尿が漏れるのを抑制する観点から、２ｍｍ以上２０ｍｍ以下であることが好ましい。
【００４７】
圧縮溝１７は、全域が、熱接着あるいは超音波接着されて形成されてよいが、図１３に示すように、一部接着されていない領域２６が複数個所あってもよい。図１４に図１３のＤ−Ｄ断面図を示す。図１４に示すように、圧縮溝１７中に接着されていない領域を複数有することによって、この接着されていない領域２６が尿の流動を妨げるので長辺方向Ｙへの拡散速度を低減して、長辺方向Ｙの端でも尿漏れを抑制することができる。
【００４８】
（立体ギャザー）
軽失禁用吸収性物品１０のトップシート１１（身体に接する側）の表面には、立体ギャザーが設けられていてもよい。この立体ギャザーは、トップシート１１とともに尿の閉じ込め空間を形成し、尿の漏れを抑制できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム及びポリウレタン等からなる、糸状、紐状、平型形状のものを適宜使用することができる。
【００４９】
［軽失禁用吸収性物品の製造方法］
軽失禁用吸収性物品１０の製造方法について説明する。まず、上部液透過性シート１４ａ、下部液透過性シート１４ｂの高吸収性ポリマー１５と接する側に、接着剤を塗布し、高吸収性ポリマー１５を積層して高吸収性シート１６からなる吸収体１３を作製する。次に、吸収体１３に熱接着あるいは超音波接着によって圧縮溝１７を設ける。次に、吸収体１３をトップシート１１とバックシート１２との間に挟持させて、トップシート１１とバックシート１２とを一部又は全周に亘ってホットメルト接着剤やヒートエンボス、超音波エンボス、高周波エンボス等を用いて固定する。必要に応じて、液拡散性シート及び立体ギャザーをあらかじめトップシート１１上に配置した後、トップシート１１とバックシート１２との間に吸収体１３を挟持してもよい。高吸収性シート１６の構成としては、液透過性シート／高吸収性ポリマー／液透過性シートのように２枚の液透過性シートと２枚の液透過性シート間に集積された高吸収性ポリマーとからなる構成でもよく、液透過性シート／高吸収性ポリマー／液透過性シート／高吸収性ポリマー／液透過性シートのように、３枚の液透過性シートと３枚の液透過性シート間に集積された高吸収性ポリマーとからなら構成でもよい。またさらに、上記構成を１組または複数組有していてもよい。
【００５０】
以上、実施形態を用いて本発明を説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５１】
１０    軽失禁用吸収性物品
１１    トップシート
１２    バックシート
１３    吸収体
１４ａ    上部液透過性シート
１４ｂ    下部液透過性シート
１５    高吸収性ポリマー
１６    高吸収性シート
１７    圧縮溝
１８    中心領域
１９，２０    端
２１    端部
２２，２３    孔
２４    蛇行線
２５    高吸収性ポリマーを有しない領域
２６    接着されていない領域
Ｗ  短辺方向Ｘの最大幅
Ｗ１  端部の幅
Ｗ２  蛇行幅
Ｗ３  圧縮溝の幅
Ｗ４  高吸収性ポリマーを有しない領域の幅
Ｌ  長辺方向Ｙの最大長さ
Ｌ１  圧縮溝の長さ
Ｌ２  圧縮溝の間の距離
【図１】
2019000592.tif 000003
【図２】
2019000592.tif 000004
【図３】
2019000592.tif 000005
【図４】
2019000592.tif 000006
【図５】
2019000592.tif 000007
【図６】
2019000592.tif 000008
【図７】
2019000592.tif 000009
【図８】
2019000592.tif 000010
【図９】
2019000592.tif 000011
【図１０】
2019000592.tif 000012
【図１１】
2019000592.tif 000013
【図１２】
2019000592.tif 000014
【図１３】
2019000592.tif 000015
【図１４】
2019000592.tif 000016